(57)【要約】【課題】  医師等がカルテの患者情報（性別、生年月日）と本人との目視確認を行っているが、文字情報だけでは本人確認を見落とし、患者取り違えを起こすこともあった。【解決手段】  選択された患者について、患者の性別及び生年月日を取得するステップＢ２と、前記生年月日から年齢を算出するステップＢ３と、患者イラスト情報記憶部３２（或いは患者イラスト情報記憶部１３）より、前記患者の性別及び年齢層に対応する患者イラストデータを取得するステップＢ４と、前記患者イラストデータを患者特定情報と共に出力するステップＢ５を含む。【選択図】      図５
2008009601.tif 000002
【特許請求の範囲】
【請求項１】
少なくとも一人の患者について、当該患者を特定するための識別情報と当該患者の性別および生年月日とを含む患者特定情報を記憶する患者情報記憶部と、
患者の性別および年齢と当該性別および年齢に対応する患者イラストデータとを記憶する患者イラスト情報記憶部と、
指定された患者の識別情報に対応する性別および生年月日の情報を前記患者情報記憶部から読み出す電子カルテ処理手段と、
前記生年月日の情報に基づいて年齢の情報を算出し、前記性別と当該年齢の情報に対応する患者イラストデータを前記患者イラスト情報記憶部から読み出し、前記患者特定情報と当該患者イラストデータとを出力する患者イラスト処理手段と、
を備えたことを特徴とする患者情報出力装置。
【請求項２】
少なくとも一人の患者について、当該患者を特定するための識別情報と当該患者の性別および生年月日とを含む患者特定情報を記憶する患者情報記憶部と、
患者の性別および年齢を所定の基準に基づいてパターン化した患者パターン情報と当該患者パターン情報に対応する患者イラストデータとを記憶する患者イラスト情報記憶部と、
指定された患者の識別情報に対応する性別および生年月日の情報を前記患者情報記憶部から読み出す電子カルテ処理手段と、
前記生年月日の情報に基づいて年齢の情報を算出し、前記性別と当該年齢の情報に対応する前記患者パターン情報を特定し、当該患者パターン情報に対応する患者イラストデータを前記患者イラスト情報記憶部から読み出し、前記患者特定情報と当該患者イラストデータとを出力する患者イラスト処理手段と、
を備えたことを特徴とする患者情報出力装置。
【請求項３】
前記患者情報記憶部と前記患者イラスト情報記憶部とがネットワークを介して接続されたデータ格納装置に含まれることを特徴とする請求項１および２記載の患者情報出力装置。
【請求項４】
少なくとも一人の患者について、当該患者を特定するための識別情報と当該患者の性別および生年月日とを含む患者特定情報を記憶する患者情報記憶部から、指定された患者の識別情報に対応する性別および生年月日の情報を読み出す電子カルテ処理ステップと、
前記生年月日の情報に基づいて年齢の情報を算出し、患者の性別および年齢と当該性別および年齢に対応する患者イラストデータとを記憶する患者イラスト情報記憶部から、前記性別と算出した年齢の情報に対応する患者イラストデータを読み出し、前記患者特定情報と当該患者イラストデータとを出力する患者イラスト処理ステップと、
を含むことを特徴とする患者情報出力方法。
【請求項５】
少なくとも一人の患者について、当該患者を特定するための識別情報と当該患者の性別および生年月日とを含む患者特定情報を記憶する患者情報記憶部から、指定された患者の識別情報に対応する性別および生年月日の情報を読み出す電子カルテ処理ステップと、
前記生年月日の情報に基づいて年齢の情報を算出し、前記性別と算出した年齢の情報に対応する前記患者パターン情報を特定し、患者の性別および年齢を所定の基準に基づいてパターン化した患者パターン情報と当該患者パターン情報に対応する患者イラストデータとを記憶する患者イラスト情報記憶部から、特定した前記患者パターン情報に対応する患者イラストデータを読み出し、前記患者特定情報と当該患者イラストデータとを出力する患者イラスト処理ステップと、
を含むことを特徴とする患者情報出力方法。
【請求項６】
少なくとも一人の患者について、当該患者を特定するための識別情報と当該患者の性別および生年月日とを含む患者特定情報を記憶する患者情報記憶部から、指定された患者の識別情報に対応する性別および生年月日の情報を読み出す電子カルテ処理と、
前記生年月日の情報に基づいて年齢の情報を算出し、患者の性別および年齢と当該性別および年齢に対応する患者イラストデータとを記憶する患者イラスト情報記憶部から、前記性別と算出した年齢の情報に対応する患者イラストデータを読み出し、前記患者特定情報と当該患者イラストデータとを出力する患者イラスト処理と、
を情報処理装置に行わせることを特徴とするプログラム。
【請求項７】
少なくとも一人の患者について、当該患者を特定するための識別情報と当該患者の性別および生年月日とを含む患者特定情報を記憶する患者情報記憶部から、指定された患者の識別情報に対応する性別および生年月日の情報を読み出す電子カルテ処理と、
前記生年月日の情報に基づいて年齢の情報を算出し、前記性別と算出した年齢の情報に対応する前記患者パターン情報を特定し、患者の性別および年齢を所定の基準に基づいてパターン化した患者パターン情報と当該患者パターン情報に対応する患者イラストデータとを記憶する患者イラスト情報記憶部から、特定した前記患者パターン情報に対応する患者イラストデータを読み出し、前記患者特定情報と当該患者イラストデータとを出力する患者イラスト処理と、
を情報処理装置に行わせることを特徴とするプログラム。
【請求項８】
少なくとも一人の個人について、当該個人を特定するための識別情報と当該個人の属性情報とを含む個人特定情報を記憶する第１の記憶部と、
前記属性情報と当該属性情報に対応する画像データとを記憶する第２の記憶部と、
指定された個人の識別情報に対応する属性情報を前記第１の記憶部から読み出す第１の手段と、
前記第１の手段が読み出した属性情報に対応する画像データを前記第２の記憶部から読み出す第２の手段と、
前記指定された個人の識別情報に係る前記個人特定情報と前記第２の手段が読み出した画像データとを出力する第３の手段と、
を備えたことを特徴とする個人情報出力装置。
【請求項９】
少なくとも一人の個人について、当該個人を特定するための識別情報と当該個人の属性情報とを含む個人特定情報を記憶する第１の記憶部と、
前記属性情報を所定の基準に基づいてパターン化した属性パターン情報と当該属性パターン情報に対応する画像データとを記憶する第２の記憶部と、
指定された個人の識別情報に対応する属性情報を前記第１の記憶部から読み出し、当該属性情報に係る前記属性パターン情報を前記所定の基準に基づいて特定する第１の手段と、
前記第１の手段が特定した属性パターン情報に対応する画像データを前記第２の記憶部から読み出す第２の手段と、
前記指定された個人の識別情報に係る前記個人特定情報と前記第２の手段が読み出した画像データとを出力する第３の手段と、
を備えたことを特徴とする個人情報出力装置。
【請求項１０】
少なくとも一人の個人について、当該個人を特定するための識別情報と当該個人の属性情報とを含む個人特定情報を記憶する第１の記憶部から、指定された個人の識別情報に対応する属性情報を読み出す第１のステップと、
前記属性情報と当該属性情報に対応する画像データとを記憶する第２の記憶部から、前記第１のステップにおいて読み出した属性情報に対応する画像データを読み出す第２のステップと、
前記指定された個人の識別情報に係る前記個人特定情報と前記第２のステップにおいて読み出した画像データとを出力する第３のステップと、
を含むことを特徴とする個人情報出力方法。
【請求項１１】
少なくとも一人の個人について、当該個人を特定するための識別情報と当該個人の属性情報とを含む個人特定情報を記憶する第１の記憶部から、指定された個人の識別情報に対応する属性情報を読み出し、所定の基準に基づいて当該属性情報を属性パターン情報に特定する第１のステップと、
前記属性パターン情報と当該属性パターン情報に対応する画像データとを記憶する第２の記憶部から、前記第１のステップにおいて特定した属性パターン情報に対応する画像データを読み出す第２のステップと、
前記指定された個人の識別情報に係る前記個人特定情報と前記第２のステップにおいて読み出した画像データとを出力する第３のステップと、
を含むことを特徴とする個人情報出力方法。
【請求項１２】
少なくとも一人の個人について、当該個人を特定するための識別情報と当該個人の属性情報とを含む個人特定情報を記憶する第１の記憶部から、指定された個人の識別情報に対応する属性情報を読み出す第１の処理と、
前記属性情報と当該属性情報に対応する画像データとを記憶する第２の記憶部から、前記第１の処理において読み出した属性情報に対応する画像データを読み出す第２の処理と、
前記指定された個人の識別情報に係る前記個人特定情報と前記第２の処理において読み出した画像データとを出力する第３の処理と、
を情報処理装置に行わせることを特徴とするプログラム。
【請求項１３】
少なくとも一人の個人について、当該個人を特定するための識別情報と当該個人の属性情報とを含む個人特定情報を記憶する第１の記憶部から、指定された個人の識別情報に対応する属性情報を読み出し、所定の基準に基づいて当該属性情報を属性パターン情報に特定する第１の処理と、
前記属性パターン情報と当該属性パターン情報に対応する画像データとを記憶する第２の記憶部から、前記第１の処理において特定した属性パターン情報に対応する画像データを読み出す第２の処理と、
前記指定された個人の識別情報に係る前記個人特定情報と前記第２の処理において読み出した画像データとを出力する第３の処理と、
を情報処理装置に行わせることを特徴とするプログラム。
【発明の詳細な説明】
【技術分野】
【０００１】
本発明は、診療行為の対象となる患者について、患者特定情報（患者ＩＤ、或いは氏名等）を表示、或いは印刷する際に、その患者の性別及び年齢層に応じた患者イラストを表示、或いは印刷する患者情報出力装置、患者情報出力方法、個人情報出力装置、個人情報出力方法、およびプログラムに関する。
【背景技術】
【０００２】
従来より、患者が間違えて本人以外の家族の保険証もしくは診察カードを病院に提出した場合に、そのまま本人以外の家族のカルテを使用して診察をしない様にする必要があり、対処方法として、医師等が、カルテに記載されている性別、生年月日に基づいて本人の目視確認を行う様にしている。
【０００３】
また、電子カルテを開いたまま、医師や患者が診療ブースを一時的に退出し、診療を再開するときに、患者が入れ替わっているにもかかわらず、開いたままになっていた前の患者の電子カルテに診療情報を入力してしまうことがあるという問題を解決するための装置が特許文献１に開示されている。即ち、電子カルテ表示中に電子カルテが使用されない状態の発生を検出するとその電子カルテに関する患者及び／又は使用医師の顔写真を表示するというものである。
【０００４】
【特許文献１】特開２００３−３６３１２号公報（第２ページ）
【発明の開示】
【発明が解決しようとする課題】
【０００５】
上記従来の対処方法では、一人の医師が外来で多くの患者を診察することがあり、文字情報の性別・年齢だけでは本人を誤認する場合があるという課題がある。つまり、本人以外の家族のカルテを使用して診察をするという医療過誤が現実に度々発生しているという課題がある。
【０００６】
また、特許文献１記載の装置では、診療を開始しようとする或いは開始した患者のカルテ表示で患者の顔写真を表示することは示されてない（電子カルテが使用されない状態の発生を検出し初めて表示する）。そして表示するのは患者の顔写真であり、患者の顔写真を撮影するには当該患者の了承が必要で、かつ、顔写真を用意し電子カルテシステムに取り込むまでの手間が掛かるという別の課題がある。
【０００７】
本発明の目的は、これらの課題を解決した患者情報出力装置、患者情報出力方法、個人情報出力装置、個人情報出力方法、およびプログラムを提供することにある。
【課題を解決するための手段】
【０００８】
本発明の第１の患者情報出力装置は、少なくとも一人の患者について、当該患者を特定するための識別情報と当該患者の性別および生年月日とを含む患者特定情報を記憶する患者情報記憶部と、患者の性別および年齢と当該性別および年齢に対応する患者イラストデータとを記憶する患者イラスト情報記憶部と、指定された患者の識別情報に対応する性別および生年月日の情報を前記患者情報記憶部から読み出す電子カルテ処理手段と、前記生年月日の情報に基づいて年齢の情報を算出し、前記性別と当該年齢の情報に対応する患者イラストデータを前記患者イラスト情報記憶部から読み出し、前記患者特定情報と当該患者イラストデータとを出力する患者イラスト処理手段と、を備えたことを特徴とする。
【０００９】
本発明の第２の患者情報出力装置は、少なくとも一人の患者について、当該患者を特定するための識別情報と当該患者の性別および生年月日とを含む患者特定情報を記憶する患者情報記憶部と、患者の性別および年齢を所定の基準に基づいてパターン化した患者パターン情報と当該患者パターン情報に対応する患者イラストデータとを記憶する患者イラスト情報記憶部と、指定された患者の識別情報に対応する性別および生年月日の情報を前記患者情報記憶部から読み出す電子カルテ処理手段と、前記生年月日の情報に基づいて年齢の情報を算出し、前記性別と当該年齢の情報に対応する前記患者パターン情報を特定し、当該患者パターン情報に対応する患者イラストデータを前記患者イラスト情報記憶部から読み出し、前記患者特定情報と当該患者イラストデータとを出力する患者イラスト処理手段と、を備えたことを特徴とする。
【００１０】
本発明の第３の患者情報出力装置は、第１または第２の患者情報出力装置において、前記患者情報記憶部と前記患者イラスト情報記憶部とがネットワークを介して接続されたデータ格納装置に含まれることを特徴とする。
【００１１】
本発明の第１の患者情報出力方法は、少なくとも一人の患者について、当該患者を特定するための識別情報と当該患者の性別および生年月日とを含む患者特定情報を記憶する患者情報記憶部から、指定された患者の識別情報に対応する性別および生年月日の情報を読み出す電子カルテ処理ステップと、前記生年月日の情報に基づいて年齢の情報を算出し、患者の性別および年齢と当該性別および年齢に対応する患者イラストデータとを記憶する患者イラスト情報記憶部から、前記性別と算出した年齢の情報に対応する患者イラストデータを読み出し、前記患者特定情報と当該患者イラストデータとを出力する患者イラスト処理ステップと、を含むことを特徴とする。
【００１２】
本発明の第２の患者情報出力方法は、少なくとも一人の患者について、当該患者を特定するための識別情報と当該患者の性別および生年月日とを含む患者特定情報を記憶する患者情報記憶部から、指定された患者の識別情報に対応する性別および生年月日の情報を読み出す電子カルテ処理ステップと、前記生年月日の情報に基づいて年齢の情報を算出し、前記性別と算出した年齢の情報に対応する前記患者パターン情報を特定し、患者の性別および年齢を所定の基準に基づいてパターン化した患者パターン情報と当該患者パターン情報に対応する患者イラストデータとを記憶する患者イラスト情報記憶部から、特定した前記患者パターン情報に対応する患者イラストデータを読み出し、前記患者特定情報と当該患者イラストデータとを出力する患者イラスト処理ステップと、を含むことを特徴とする。
【００１３】
本発明の第１のプログラムは、少なくとも一人の患者について、当該患者を特定するための識別情報と当該患者の性別および生年月日とを含む患者特定情報を記憶する患者情報記憶部から、指定された患者の識別情報に対応する性別および生年月日の情報を読み出す電子カルテ処理と、前記生年月日の情報に基づいて年齢の情報を算出し、患者の性別および年齢と当該性別および年齢に対応する患者イラストデータとを記憶する患者イラスト情報記憶部から、前記性別と算出した年齢の情報に対応する患者イラストデータを読み出し、前記患者特定情報と当該患者イラストデータとを出力する患者イラスト処理と、を情報処理装置に行わせることを特徴とする。
【００１４】
本発明の第２のプログラムは、少なくとも一人の患者について、当該患者を特定するための識別情報と当該患者の性別および生年月日とを含む患者特定情報を記憶する患者情報記憶部から、指定された患者の識別情報に対応する性別および生年月日の情報を読み出す電子カルテ処理と、前記生年月日の情報に基づいて年齢の情報を算出し、前記性別と算出した年齢の情報に対応する前記患者パターン情報を特定し、患者の性別および年齢を所定の基準に基づいてパターン化した患者パターン情報と当該患者パターン情報に対応する患者イラストデータとを記憶する患者イラスト情報記憶部から、特定した前記患者パターン情報に対応する患者イラストデータを読み出し、前記患者特定情報と当該患者イラストデータとを出力する患者イラスト処理と、を情報処理装置に行わせることを特徴とする。
【００１５】
本発明の第１の個人情報出力装置は、少なくとも一人の個人について、当該個人を特定するための識別情報と当該個人の属性情報とを含む個人特定情報を記憶する第１の記憶部と、前記属性情報と当該属性情報に対応する画像データとを記憶する第２の記憶部と、指定された個人の識別情報に対応する属性情報を前記第１の記憶部から読み出す第１の手段と、前記第１の手段が読み出した属性情報に対応する画像データを前記第２の記憶部から読み出す第２の手段と、前記指定された個人の識別情報に係る前記個人特定情報と前記第２の手段が読み出した画像データとを出力する第３の手段と、を備えたことを特徴とする。
【００１６】
本発明の第２の個人情報出力装置は、少なくとも一人の個人について、当該個人を特定するための識別情報と当該個人の属性情報とを含む個人特定情報を記憶する第１の記憶部と、前記属性情報を所定の基準に基づいてパターン化した属性パターン情報と当該属性パターン情報に対応する画像データとを記憶する第２の記憶部と、指定された個人の識別情報に対応する属性情報を前記第１の記憶部から読み出し、当該属性情報に係る前記属性パターン情報を前記所定の基準に基づいて特定する第１の手段と、前記第１の手段が特定した属性パターン情報に対応する画像データを前記第２の記憶部から読み出す第２の手段と、前記指定された個人の識別情報に係る前記個人特定情報と前記第２の手段が読み出した画像データとを出力する第３の手段と、を備えたことを特徴とする。
【００１７】
本発明の第１の個人情報出力方法は、少なくとも一人の個人について、当該個人を特定するための識別情報と当該個人の属性情報とを含む個人特定情報を記憶する第１の記憶部から、指定された個人の識別情報に対応する属性情報を読み出す第１のステップと、前記属性情報と当該属性情報に対応する画像データとを記憶する第２の記憶部から、前記第１のステップにおいて読み出した属性情報に対応する画像データを読み出す第２のステップと、前記指定された個人の識別情報に係る前記個人特定情報と前記第２のステップにおいて読み出した画像データとを出力する第３のステップと、を含むことを特徴とする。
【００１８】
本発明の第２の個人情報出力方法は、少なくとも一人の個人について、当該個人を特定するための識別情報と当該個人の属性情報とを含む個人特定情報を記憶する第１の記憶部から、指定された個人の識別情報に対応する属性情報を読み出し、所定の基準に基づいて当該属性情報を属性パターン情報に特定する第１のステップと、前記属性パターン情報と当該属性パターン情報に対応する画像データとを記憶する第２の記憶部から、前記第１のステップにおいて特定した属性パターン情報に対応する画像データを読み出す第２のステップと、前記指定された個人の識別情報に係る前記個人特定情報と前記第２のステップにおいて読み出した画像データとを出力する第３のステップと、を含むことを特徴とする。
【００１９】
本発明の第３のプログラムは、少なくとも一人の個人について、当該個人を特定するための識別情報と当該個人の属性情報とを含む個人特定情報を記憶する第１の記憶部から、指定された個人の識別情報に対応する属性情報を読み出す第１の処理と、前記属性情報と当該属性情報に対応する画像データとを記憶する第２の記憶部から、前記第１の処理において読み出した属性情報に対応する画像データを読み出す第２の処理と、前記指定された個人の識別情報に係る前記個人特定情報と前記第２の処理において読み出した画像データとを出力する第３の処理と、を情報処理装置に行わせることを特徴とする。
【００２０】
本発明の第４のプログラムは、少なくとも一人の個人について、当該個人を特定するための識別情報と当該個人の属性情報とを含む個人特定情報を記憶する第１の記憶部から、指定された個人の識別情報に対応する属性情報を読み出し、所定の基準に基づいて当該属性情報を属性パターン情報に特定する第１の処理と、前記属性パターン情報と当該属性パターン情報に対応する画像データとを記憶する第２の記憶部から、前記第１の処理において特定した属性パターン情報に対応する画像データを読み出す第２の処理と、前記指定された個人の識別情報に係る前記個人特定情報と前記第２の処理において読み出した画像データとを出力する第３の処理と、を情報処理装置に行わせることを特徴とする。
【発明の効果】
【００２１】
本発明によれば、患者情報の生年月日、性別から患者パターンを決め、その患者パターンに応じた顔イラストイメージを出力（表示または印刷）するようにしたことにより、医師が患者のイラストを見ただけで、患者の特性（年齢層と性別）を瞬時に把握でき、患者を容易に特定することができるという効果を有している。
【発明を実施するための最良の形態】
【００２２】
次に、本発明を実施するための最良の形態について図面を参照して詳細に説明する。
【００２３】
図１は、本発明の患者情報出力装置の第１の実施の形態の構成を示すブロック図である。図１を参照すると、患者情報出力装置は、端末装置１−１〜１−３と管理端末装置２とこれらがＬＡＮ等のネットワーク１００を介してアクセスするデータ格納装置３とを含み構成されている。
【００２４】
端末装置１−１〜１−３は、医師や検査技師、或いは看護士等により操作される診療用の端末装置であり、プログラム制御で動作する情報処理装置である。端末装置１は、診察、診断、検査結果をデータ格納装置３に電子的に記録する電子カルテ処理手段１１を含む。電子カルテ処理手段１１には、患者イラスト処理手段１２を含み、この患者イラスト処理手段１２は、診療行為を行なうために、入力手段１６を通じ、選択された患者の個人情報（性別及び生年月日）に基づき患者パターンを決め、これに対応した顔イラストデータを取得し出力手段１７へ患者特定情報（患者ＩＤ、或いは氏名）と共に出力する。或いは、対応した顔イラストデータを電子カルテ処理手段１１に渡し、電子カルテ処理手段１１が患者特定情報と共に出力する。
【００２５】
管理端末装置２は、プログラム制御で動作する管理者用の端末であり、ＤＢ情報登録処理手段２１を含む。更に電子カルテ処理手段１１を含んでいてもよい。
【００２６】
図２を参照すると、端末装置１は、ハードウェアとしてＣＰＵ及び主記憶装置等を含む制御部１５とキーボードやマウス等の入力手段１６と出力手段１７と通信手段１８を含み構成されている。出力手段１７は、具体的にはＣＲＴ或いは液晶モニターなどの表示装置等で電子カルテ画面等が表示される。
【００２７】
制御部１５には、電子カルテ処理手段１１に対応した電子カルテ処理制御手段１５１を含み、電子カルテ処理制御手段１５１には、患者イラスト処理手段１２に対応した患者イラスト処理制御手段１５２を含む。
【００２８】
電子カルテ処理制御手段１５１、患者イラスト処理制御手段１５２は、制御部１５が実行するプログラムで実現される。
【００２９】
データ格納装置３は、データベースサーバ等であり外部記憶装置を含むと共にプログラム制御で動作する。データ格納装置３は、外部記憶装置に患者情報記憶部３１、患者イラスト情報記憶部３２を含み、処理部（制御部や通信処理手段等）にＤＢ参照更新処理手段（データベース参照更新処理手段）３３も含む。外部記憶装置は例えば、電磁気学的または光学的に記憶された磁気ディスク、光ディスク、ＲＯＭ、ＲＡＭ、ＩＣカードおよび磁気テープのうち、単体または複数台、チェンジャー等で操作される大量格納型の装置のいずれかで構成された装置を少なくとも一つを含む。
【００３０】
また、データ格納装置３が患者イラスト情報記憶部３２とＤＢ参照更新処理手段３３を含み、患者情報記憶部３１はネットワーク１００に接続された別の装置等に含まれる例であってもよい。
【００３１】
図６に示す様に、患者情報記憶部３１には、患者ＩＤに対応して患者の氏名、性別、生年月日が記録されている。尚、患者ＩＤとは、患者を一意に識別する為のキーである。
【００３２】
患者イラスト情報記憶部３２には、患者の性別や年齢層（年代）（以後、これらの情報の組み合わせを患者パターンと呼ぶ。パターンは図示しない記憶領域に予め記憶された情報であり、グループ化するための何らかの基準であり、これら性別と年齢層の情報の組み合わせに限定されるものではない）により、適切な患者イラストを表示するため、患者パターンと患者イラストデータを１対１で紐付けたレコードを含む。具体的には、図７に示す様に、患者イラスト管理ＩＤに対応して患者パターンと、それに対応する患者イラストデータ（顔イラストデータ）が記録されている。また年齢層は年齢の下限と上限という形式で記録されている。
【００３３】
図１に戻り、管理端末装置２のＤＢ情報登録処理手段２１は、登録するデータベースの名称と形式（行数、カラム数、各カラムの項目名）を指定すると、図７の表枠と項目名を含む入力画面を提示し、各項目値を入力させる。各行のデータ（項目名、項目値）をＤＢ参照更新処理手段３３に送り、ＤＢ参照更新処理手段３３が１行のデータを１レコードとして患者イラスト情報記憶部３２に登録する。
【００３４】
図３を参照すると、管理端末装置２は、ハードウェアとしてＣＰＵ及び主記憶装置等を含む制御部２５と入力手段２６と出力手段２７と通信手段２８を含み構成されている。入力手段２６と出力手段２７と通信手段２８は、それぞれ前記入力手段１６と出力手段１７と通信手段１８と同様である。
【００３５】
制御部２５には、ＤＢ情報登録処理手段２１に対応したＤＢ情報登録処理制御手段２５１を含む。更には電子カルテ処理手段１１に対応した電子カルテ処理制御手段１５１を含んでいてもよい。ＤＢ情報登録処理制御手段２５１は制御部２５が実行するプログラムで実現される。
【００３６】
次に、本発明の第１の実施例の動作について図面を参照して説明する。先ず、患者イラスト情報の登録、更新の動作について、図４のフロチャートを参照し説明する。管理端末装置２のＤＢ情報登録処理手段２１は起動されると、出力手段２７と入力手段２６を通じ処理内容（新規ＤＢ登録か既存ＤＢ更新）を取得する（ステップＡ１）。
【００３７】
新規ＤＢ登録であれば（ステップＡ２）、登録するＤＢの名称（患者イラスト情報）と形式（行数、カラム数、各カラムの項目名）を入力させ、図７の表枠と項目名を含む入力画面を提示し、各項目値を入力させ、ＤＢの名称と各行のデータ（項目名、項目値）をＤＢ参照更新処理手段３３に送信する（ステップＡ３）。
【００３８】
ＤＢ参照更新処理手段３３が１行のデータを１レコードとして患者イラスト情報記憶部３２に登録する（ステップＡ４）。
【００３９】
既存ＤＢ更新であれば（ステップＡ２）、対象ＤＢ名（患者イラスト情報）を取得し、ＤＢ参照更新処理手段３３に送信し（ステップＡ５）、ＤＢ参照更新処理手段３３が患者イラスト情報記憶部３２の各レコードを読み出しＤＢ情報登録処理手段２１に返信する（ステップＡ６）。
【００４０】
ＤＢ情報登録処理手段２１は、例えば、図７の情報を既存データとして、出力手段２７に表示する（ステップＡ７）。
【００４１】
表示している行のパターンデータや患者イラストデータの変更を受け、管理ＩＤと、それの変更後パターンデータや変更後イラストデータと変更指示をＤＢ参照更新処理手段３３に送信し（ステップＡ８）、ＤＢ参照更新処理手段３３が管理ＩＤをキーとして対応するレコードを更新する（ステップＡ９）。
【００４２】
表の空行への新たな管理ＩＤ、パターンデータと、患者イラストデータの追加入力と更新指示を受けると、これらのデータと指示をＤＢ参照更新処理手段３３に送信する（ステップＡ１０）。ＤＢ参照更新処理手段３３が対応するレコードを患者イラスト情報記憶部３２に追加する（ステップＡ１１）。
【００４３】
次に、電子カルテ処理手段１１で選択した患者から、患者情報記憶部３１と患者イラスト情報記憶部３２のデータをもとに患者の顔イラストデータを表示する過程を図５のフロチャートに示す。
【００４４】
図５を参照し、電子カルテ処理手段１１は、入力手段１６を通じ選択された患者の患者ＩＤを取得する（ステップＢ１）。この患者ＩＤに対応した患者情報を患者情報記憶部３１から検索し、選択患者の性別、生年月日を取得する（ステップＢ２）。患者イラスト処理手段１２は、制御部１５が管理している現在年月日情報を取得し、これから選択患者の生年月日を差し引き現在の年齢を算出する（ステップＢ３）。制御部１５が管理している現在年月日情報とはカレンダクロックの現在年月日情報、或いはこれを周期的に読み出し、主記憶装置にロードされた現在年月日情報である。
【００４５】
患者イラスト処理手段１２は、選択患者の性別および現在の年齢に該当する患者パターンを患者イラスト情報記憶部３２から検索し、該当する患者イラストデータ（顔イラストデータ）を取得する（ステップＢ４）。該当する患者イラストデータを、表示情報記憶部１５３を介し出力手段１７に渡し電子カルテ画面に表示させる（ステップＢ５）。実際の画面表示例を図８に示す。
【００４６】
以上の実施例の説明では、出力手段１７を表示装置とする例で説明したが、出力手段が印刷装置（プリンタ等）の場合は同様に患者特定情報と共に患者イラストデータを出力（印刷）する。
【００４７】
本発明の第１の形態によれば、患者情報の生年月日、性別から患者パターンを決め、その患者パターンに応じた顔イラストイメージを出力（表示または印刷）するようにしたことにより、医師が患者のイラストを見ただけで、患者の特性（年齢層と性別）を瞬時に把握でき、患者を容易に特定することができるという効果を有している。
【００４８】
また、顔写真によらないので、写真を用意し取り込む手間や、患者の了承取り付けが不要という効果も有している。
【００４９】
次に、本発明の第２の実施の形態について図面を参照して詳細に説明する。図９を参照すると、端末装置１−１〜１−３の各装置には、外部記憶装置（磁気ディスク装置等）上に患者イラスト情報記憶部１３を備え、患者イラスト処理手段１２は自装置内の患者イラスト情報記憶部１３より、選択患者の性別及び年齢層に対応する患者イラストデータを検索し取得する。
【００５０】
また、端末装置１−１〜１−３の各装置にはイラスト情報自動更新処理手段１４を備え、データ格納装置３等からネットワーク１００を通じた更新指示を受けると、患者イラスト情報マスタ記憶部３２Ａにアクセスし患者イラスト情報記憶部１３の内容を受信内容に置き換える。
【００５１】
図１０に本発明の第２の実施の形態における端末装置１の詳細構成を示す。第１の実施の形態と比べると、外部記憶装置上に患者イラスト情報記憶部１３を備え、制御部１５Ａにはイラスト情報自動更新処理手段１４に対応した、イラスト情報自動更新処理制御手段１５５を有している。イラスト情報自動更新処理制御手段１５５は、制御部１５Ａが実行するプログラムで実現する。
【００５２】
また、電子カルテ処理制御手段１５１は、表示情報記憶部１５３に患者イラストを含む電子カルテ画面情報を転送し、出力手段（表示装置）１７−１に表示し、また印刷情報記憶部１５４に図８のカルテ情報を転送し、出力手段（印刷装置）１７−２から印刷し出力出来る。
【００５３】
この様に、本発明の第２の実施の形態では、端末装置１の患者イラスト処理手段１２が、自装置内の患者イラスト情報記憶部１３を検索するので、患者イラストを電子カルテ画面に表示する際に全く遅延がないという効果を有している。
【００５４】
なお、上述した各実施の形態の説明では、患者イラストデータを顔イラストデータとする例としたが、顔を含む上半身イラストデータ、或いは全身像のイラストデータとしてもよいことは言うまでもない。
【００５５】
また、上述した各実施の形態の説明では、本発明を患者情報出力装置に適用した形態について説明したが、患者情報出力装置に留まらず、個人の識別情報と属性情報（例えば、性別や年齢等）とを個人情報記憶部（患者情報記憶部３１に相当）に記憶し、また、属性情報と画像データ（患者イラストデータに相当）とを対応づけて画像情報記憶部（患者イラスト情報記憶部３２に相当）に記憶し、個人の識別情報の入力に応じて対応する画像データを出力（表示または印刷）するように構成すれば、様々な業種のサービスシステムに適用することができることは明らかである。なお、属性情報を所定の基準に基づいてパターン化（例えば、属性情報を生年月日とすると、１０代、２０代というような「年齢層（年代）」という基準（図示しない記憶領域に予め記憶されている）でグループ化するということ）した属性パターン情報と当該属性パターン情報に対応する画像データとを画像情報記憶部に記憶し、個人の識別情報の入力に応じて対応する画像データを出力（表示または印刷）するように構成してもよい。
【図面の簡単な説明】
【００５６】
【図１】本発明の第１の実施の形態の患者情報出力装置の全体構成を示すブロック図である。
【図２】本発明の第１の実施の形態における端末装置１の詳細構成を示すブロック図である。
【図３】本発明の第１の実施の形態における管理端末装置２の詳細構成を示すブロック図である。
【図４】本発明の第１の実施の形態における患者イラスト情報の登録、更新の動作を示すフロチャートである。
【図５】本発明の第１の実施の形態における選択患者の顔イラスト情報を出力する動作を示すフロチャートである。
【図６】本発明の第１の実施の形態における患者情報記憶部３１の内容例を示す図である。
【図７】本発明の第１の実施の形態における患者イラスト情報記憶部１３の内容例を示す図である。
【図８】本発明の第１の実施の形態における電子カルテ画面の表示例や電子カルテ印刷内容を示す図である。
【図９】本発明の第２の実施の形態の全体構成を示すブロック図である。
【図１０】本発明の第２の実施の形態における端末装置１の詳細構成を示すブロック図である。
【符号の説明】
【００５７】
１、１−１〜１−３    端末装置
１１    電子カルテ処理手段
１２    患者イラスト処理手段
１３    患者イラスト情報記憶部
１４    イラスト情報自動更新処理手段
１５    制御部
１５１    電子カルテ処理制御手段
１５２    患者イラスト処理制御手段
１５３    表示情報記憶部
１５４    印刷情報記憶部
１５５    イラスト情報自動更新処理制御手段
１６    入力手段
１７    出力手段
１７−２    出力手段（印刷装置）
１８    通信手段
２    管理端末装置
２１    ＤＢ情報登録処理手段
２５    制御部
２５１    ＤＢ情報登録処理制御手段
２６    入力手段
２７    出力手段
２８    通信手段
３    データ格納装置
３１    患者情報記憶部
３２    患者イラスト情報記憶部
３２Ａ    患者イラスト情報マスタ記憶部
３３    ＤＢ参照更新処理手段
１００    ネットワーク
【図１】
2008009601.tif 000003
【図２】
2008009601.tif 000004
【図３】
2008009601.tif 000005
【図４】
2008009601.tif 000006
【図５】
2008009601.tif 000007
【図６】
2008009601.tif 000008
【図７】
2008009601.tif 000009
【図８】
2008009601.tif 000010
【図９】
2008009601.tif 000011
【図１０】
2008009601.tif 000012